(57)【要約】【課題】  光走査装置を着脱するための特別な移動空間及び開口等が必要。【解決手段】  光走査装置１００を奥側にズラし、固定ステー２０２，２０４の間２０３から、光走査装置１００を、給紙部１４０の空間１５０へと移動させる。そして、装着窓１４６から光走査装置１００を画像形成装置本体１２から取り出す。【選択図】        図１
2006251082.tif 000002
【特許請求の範囲】
【請求項１】
記録媒体を収容する収容箱が、画像形成装置本体から着脱可能な画像形成装置であって、
前記収容箱が装着窓から着脱可能に装着される給紙部と、
前記給紙部の上方の所定位置に配置され、被走査体上を走査し露光する光ビームを出射する光走査装置と、
前記光走査装置が着脱可能に取り付けられる取付部と、
を備え、
前記光走査装置は、前記収容箱が取り外された前記給紙部に移動可能とし、かつ、前記給紙部の前記装着窓から該給紙部に出入り可能としたことを特徴とする画像形成装置。
【請求項２】
前記取付部は、前記所定位置の前記光走査装置と前記給紙部との間に設けられ、前記光走査装置が前記給紙部に移動可能な連通部を備えることを特徴とする請求項１に記載の画像形成装置。
【請求項３】
前記取付部は、前記光走査装置を載置して固定する二本の固定ステーであり、
前記連通部は、前記二本の固定ステーの間であることを特徴とする請求項２に記載の画像形成装置。
【発明の詳細な説明】
【技術分野】
【０００１】
本発明は、画像形成装置に関する。
【背景技術】
【０００２】
電子写真式複写機やレーザプリンタなどの電子写真技術を用いた画像形成装置では、感光体上を光ビームにより走査露光する光走査装置を、画像形成装置本体に着脱可能に構成することにより、画像形成装置本体から取り出して、光走査装置のメンテナンスや交換等が容易に行えるようにしている。
【０００３】
このように、光走査装置を画像形成装置本体に着脱可能としたものには、画像形成装置本体内に設けられた左右の本体側板の前後部位４箇所に、光学箱の取付位置決めの基準を形成するスタッドをそれぞれ取り付け、これらのスタッドに、光学箱の左右側板の前後部位にぞれぞれ設けた４個の嵌合溝を嵌合させて光学箱の取付位置決めを行い、その状態で、本体側板に光学箱をネジ止め固定するものがある。（例えば、特許文献１参照）。
【０００４】
また、特願２００４−２７２３１９には、画像形成装置本体の側板を開放して、画像形成装置本体から光走査装置を着脱可能とし、より容易に光走査装置を着脱可能とした画像形成装置が提案されている。
【特許文献１】特許２７０９４７３号
【発明の開示】
【発明が解決しようとする課題】
【０００５】
しかしながら、特願２００４−２７２３１９の構成は、図１４に示すように、光走査装置１００４を着脱する際に光走査装置１００４が移動する移動空間Ｘが必要である。移動空間Ｘは光走査装置１００４を着脱するとき以外は必要でない。換言すると、光走査装置１００４を着脱するためだけに必要な移動空間Ｘであり、画像形成装置１０００の小型化の妨げとなっていた。
【０００６】
また、光走査装置１００４を着脱するための開口が必要であり、図１４では、側板１００２を開放し、光走査装置１００４を着脱している。
【０００７】
本発明は、上記問題を解決すべく成されたもので、光走査装置を着脱するための特別な移動空間及び開口等が必要ない画像形成装置を提供することを目的とする。
【課題を解決するための手段】
【０００８】
請求項１に記載の画像形成装置は、記録媒体を収容する収容箱が、画像形成装置本体から着脱可能な画像形成装置であって、前記収容箱が装着窓から着脱可能に装着される給紙部と、前記給紙部の上方の所定位置に配置され、被走査体上を走査し露光する光ビームを出射する光走査装置と、前記光走査装置が着脱可能に取り付けられる取付部と、を備え、前記光走査装置は、前記収容箱が取り外された前記給紙部に移動可能とし、かつ、前記給紙部の装着窓から該給紙部に出入り可能としたことを特徴としている。
【０００９】
請求項１に記載の画像形成装置では、まず、記録媒体を収容する収容箱を画像形成装置本体から取り出す。つぎに、光走査装置を取付部から取り外し、収容箱が取り外された給紙部に移動する。そして、光走査装置を装着窓から画像形成装置本体外に取り出し、例えば、光走査装置の修理，メンテナンス，交換等を行う。
【００１０】
また、修理，メンテナンス，交換等を行ったのち、光走査装置を装着窓から給紙部に入れたのち、取付部に固定する。そして、収容箱を給紙部に装着する。
【００１１】
このように、記録媒体を収容した収容箱が取り外された給紙部を、光走査装置を着脱するための移動空間に利用し、且つ、給紙部の装着窓から光走査装置を出し入れすることで、光走査装置を着脱するための特別な移動空間及び開口部を必要としない。このため、低コストで省スペースとなる。
【００１２】
請求項２に記載の画像形成装置は、請求項１に記載の構成において、前記取付部は、前記所定位置の前記光走査装置と前記給紙部との間に設けられ、前記光走査装置が前記給紙部に移動可能な連通部を備えることを特徴としている。
【００１３】
請求項２に記載の画像形成装置は、所定位置の光走査装置と給紙部との間に設けられた取付部に光走査装置が固定されている。光走査装置は、取付部に設けられた連通部から、収容箱が取り外された給紙部に移動する。そして、光走査装置を装着窓から画像形成装置本体外に取り出す。
【００１４】
請求項３の画像形成装置は、前記取付部は、前記光走査装置を上面に載置して固定する二本の固定ステーであり、前記連通部は、前記二本の固定ステーの間であることを特徴としている。
【００１５】
請求項３の画像形成装置は、二本の固定ステーの上面に光走査装置を載置して固定している。光走査装置は、二本の固定ステーの間から収容箱が取り外された給紙部に移動する。そして、光走査装置を装着窓から画像形成装置本体の外に取り出す。
【発明の効果】
【００１６】
以上説明したように本発明によれば、記録媒体を収容した収容箱が取り外された給紙部を、光走査装置を着脱するための移動空間に利用し、給紙部の装着窓から光走査装置を出し入れすることで、光走査装置を着脱するための特別な移動空間及び開口部を必要としない。
【発明を実施するための最良の形態】
【００１７】
本実施形態の画像形成装置１０について説明する。なお、図２に向かって、左側が装置手前側とし、右側を装置奥側とする。また、図に向かって手前側が装置右側とし、奥側が装置左側とする。
【００１８】
図２に示すように、本実施形態の画像形成装置１０は画像形成装置本体１２を備え、画像形成装置本体１２の下部に給紙部１４０が設けられ、記録媒体としての記録用紙Ｐが束状に積層されて収納される給紙カセット１４が装着されている。
【００１９】
図５に示すように、給紙部１４０の左右の両端部には、給紙カセット１４が奥側から手前側（及び手前側から奥側）へとスライドするレール１４１，１４３が、サイドフレーム１２Ｒ，１２Ｌに取り付けられている。
【００２０】
図２に示すように、給紙カセット１４の先端側（奥側）の上部には、記録用紙Ｐ上面の先端側に圧接して給紙カセット１４内から記録用紙Ｐを取り出すフィードロール１６、及び、取り出された記録用紙Ｐを１枚ずつ捌くリタードロール１８が配置されている。
【００２１】
フィードロール１６及びリタードロール１８の上方には、給紙カセット１４の先端部（フィードロール１６の記録用紙Ｐとの圧接部）付近から上方へ緩やかに湾曲して延出され、画像形成装置本体１２の上部に設けられた排紙トレイ２０に至る搬送路２２が設けられている。
【００２２】
搬送路２２には、記録用紙搬送方向の上流側から順に、搬送ロール対２４、レジストロール対２５、二次転写ロール２６と中間転写ベルト６６が巻き掛けられた二次転写バックアップロール２８のロール対、定着装置３０、及び、排出ロール対３２が配置されている。
【００２３】
搬送路２２では、給紙カセット１４内から取り出された記録用紙Ｐは、搬送ロール対２４によって搬送路２２を上方へ搬送され、レジストロール対２５により一時停止されて、所定のタイミングで二次転写ロール２６と中間転写ベルト６６の間（二次転写位置Ｔ２）に送り込まれ、中間転写ベルト６６からトナー像が転写される。このトナー像が転写された記録用紙Ｐは、更に定着装置３０へ搬送され、転写されたトナー像が定着装置３０により定着されて、排出ロール対３２により排出口３４から排紙トレイ２０に排出される。
【００２４】
搬送路２２の右側には、記録用紙Ｐに両面印字を行うために、定着装置３０を通過し搬送路２２の下流側へ排出された画像記録済の記録用紙Ｐを反転させて再び二次転写位置Ｔ２へ送り込むための反転搬送路３６が搬送路２２にループ状に接続されて設けられている。
【００２５】
この反転搬送路３６には、複数の搬送ロール対２４が配置されており、両面印字を行う際には、片面に画像が記録された記録用紙Ｐは、搬送路２２の下流側で排出ロール対３２によりスイッチバックされて反転搬送路３６に導かれ、反転搬送路３６を複数の搬送ロール対２４によって下方へ搬送され、表裏反転されて搬送路２２の上流側に戻される。
【００２６】
画像形成装置本体１２内の手前側には、回転式現像装置４４が配置されている。回転式現像装置４４は、現像器本体４６内にイエロー（Ｙｅｌｌｏｗ）、マゼンタ（Ｍａｇｅｎｔａ）、シアン（Ｃｙａｎ）及び黒（Ｂｌａｃｋ）の４色のトナー像をそれぞれ形成する現像器４８ａ〜４８ｄを備え、回転支軸５０を中心として左回り（図１において反時計回り）に回転駆動する。現像器４８ａ〜４８ｄは、回転支軸５０を中心に９０°間隔で現像器本体４６の外周に配置されており、それぞれ現像ロール４９ａ〜４９ｄを備え、図示しないコイルスプリングなどの弾性体により、現像器本体４６の法線方向に押圧されている。
【００２７】
回転式現像装置４４には、回転支軸５２を中心として回転する被走査体としての感光体ドラム５４が当接するように配置されている。感光体ドラム５４の下方には、感光体ドラム５４の表面を一様帯電する帯電ロールからなる帯電装置５６が設けられている。
【００２８】
回転式現像装置４４と給紙部１４０との間には、帯電装置５６により帯電された感光体ドラム５４の表面をレーザビームＬにより走査露光し、感光体ドラム５４上に静電潜像を形成する光走査装置１００が配置されている。光走査装置１００は、感光体ドラム５４上にレーザービームＬが結像する所定位置に、固定ステー２０２，２０４の上面２０２Ａ，２０４Ａに載置され固定されている。
【００２９】
回転式現像装置４４の現像ロール４９ａ〜４９ｄは、感光体ドラム５４に当接していない状態で、それぞれの外周の一部が現像器本体４６の外周から半径方向に僅かに突出している。また、現像ロール４９ａ〜４９ｄのそれぞれの両端には、現像ロール４９ａ〜４９ｄの直径よりも僅かに大きい直径のトラッキングロール（図示省略）が現像ロール４９ａ〜４９ｄと同軸で回転するように設けられている。このトラッキングロールが感光体ドラム５４の両端に設けられたフランジ（図示省略）に当接し、現像ロール４９ａ〜４９ｄは感光体ドラム５４との間に所定の隙間を形成しつつ、感光体ドラム５４上に形成された静電潜像をそれぞれの色のトナーで現像する。
【００３０】
また、感光体ドラム５４には、回転支軸５２にぶら下がるように感光体ドラムクリーナ５８が設けられている。この感光体ドラムクリーナ５８は感光体ドラム５４に一体化されており、後述する一次転写後に感光体ドラム５４に残留する転写残トナーを掻き取るクリーニングブレード６０と、クリーニングブレード６０が掻き取った廃トナーを回収するトナー回収ボトル６２とを備えている。
【００３１】
感光体ドラム５４の上方及び感光体ドラム５４と感光体ドラムクリーナ５８の右側方には、回転式現像装置４４によって現像され可視化されたトナー像が一次転写位置Ｔ１で一次転写され、そのトナー像を二次転写位置Ｔ２まで搬送する中間転写装置６４が設けられている。
【００３２】
中間転写装置６４は、弾性を有する中間転写ベルト（中間転写体）６６、一次転写ロール６８、ラップインロール７０、ラップアウトロール７２、二次転写バックアップロール２８、及び複数の張架ロール７４を備えている。
【００３３】
中間転写ベルト６６は、一次転写ロール６８のベルト回転方向上流に配置されたラップインロール７０と、一次転写ロール６８のベルト回転方向下流に配置されたラップアウトロール７２との間で感光体ドラム５４にラップ状に接触する接触領域（一次転写部）を有し、感光体ドラム５４に所定の範囲だけ巻きついて、感光体ドラム５４の回転に従動する。これにより、中間転写ベルト６６は、一次転写ロール６８によって感光体ドラム５４上のトナー像を、イエロー、マゼンタ、シアン、黒の順に重ね、一次転写位置Ｔ１で一次転写する。この一次転写されたトナー像は、二次転写ロール２６との間の二次転写位置Ｔ２へ搬送される。
【００３４】
回転式現像装置４４と手前側のフロントフレーム１２Ｆと間には、箱形状の電源部１７０が配置されている。電源部１７０の下端は、固定ステー２０２，２０４の下面と略同じ位置まで、延びている。
【００３５】
つぎに、本実施形態の画像形成装置１０によるカラー画像形成動作について説明する。
【００３６】
画像形成装置１０に画像形成信号が入力されると、感光体ドラム５４が帯電装置５６により一様に帯電され、この帯電された感光体ドラム５４には、画像形成信号に基づいて光走査装置１００からレーザビームＬが出射される。感光体ドラム５４の表面は、この光走査装置１００からのレーザビームＬによって走査露光され、感光体ドラム５４の表面には静電潜像が形成される。感光体ドラム５４上に形成された静電潜像は、回転式現像装置４４によってイエロー、マゼンタ、シアン、黒のトナー像が現像され、一次転写位置Ｔ１で中間転写ベルト６６に重ねて一次転写される。また、一次転写後に感光体ドラム５４に残留する転写残トナーは、感光体ドラムクリーナ５８のクリーニングブレード６０によって掻き取られ、トナー回収ボトル６２に回収される。
【００３７】
一方、給紙カセット１４に収納された記録用紙Ｐは、フィードロール１６により取り出され、リタードロール１８により捌かれて搬送路２２に導かれ、レジストロール対２５により一次停止され、タイミングをとって二次転写ロール２６と二次転写バックアップロール２８との間に送り込まれる。この二次転写位置Ｔ２で、記録用紙Ｐには、中間転写ベルト６６に一次転写されているトナー像が、二次転写ロール２６と二次転写バックアップロール２８との圧接力、及び二次転写ロール２６に印加された転写バイアスによって二次転写される。トナー像が転写された記録用紙Ｐは、定着装置３０に送り込まれ、加熱ロール９２と加圧ロール９４とによる熱圧力によってトナー像が溶融定着される。そして、このトナー像の定着により画像形成された記録用紙Ｐは、排出ロール対３２により排出口３４から排紙トレイ２０に排出される。
【００３８】
以上の動作により、画像形成装置１０によって記録用紙Ｐにカラー画像が形成される。なお、画像形成に伴い、給紙カセット１４の記録用紙Ｐが消費されると、図３（Ａ）に示すように、フロントフレーム１２Ｆの下部にあけられた給紙部１４０の装着窓１４６から給紙カセット１４を引き出して、補充する。
【００３９】
なお、図３（Ｂ）に示すように、給紙カセット１４は、給紙部１４０（画像形成装置本体１２）から完全に引き抜いて、取り出すこともできる。
【００４０】
なお、詳細は後述するが、給紙カセット１４取り外された後にできる給紙部１４０の空間１５０に、光走査装置１００が完全に収まる。また、光走査装置１００は、装着窓１４６から給紙部１４０の空間１５０に出入り可能である。
【００４１】
つぎに、光走査装置１００と、この光走査装置１００を着脱自在に固定する固定ステー２０２，２０４について説明する。
【００４２】
図２に示すように、光走査装置１００は、回転式現像装置４４と給紙部１４０との間に、感光体ドラム５４に対して所定の距離をもった所定位置に配置されている。また、光走査装置１００は、給紙部１４０の上方に配置された二本の固定ステー２０２，２０４の上面２０２Ａ，２０４Ａに載置され、着脱可能に固定されている。
【００４３】
図５に示すように、固定ステー２０２，２０４は、画像形成装置本体１２の両サイドフレーム１２Ｒ，１２Ｌの間に架設されている。また、光走査装置１００は、二本の固定ステー２０２，２０４の間２０３を通って給紙部１４０に移動可能である。
【００４４】
図９に示すように、固定ステー２０２の左右の２箇所と、固定ステーの２０４の中央部とには、スクリュー孔２０６（図１１参照）が形成され、このスクリュー孔２０６にショルダースクリュー３００が取り付けられている。なお、スクリュー孔２０６は、光走査装置１００のネジ孔１３９、ボス穴１４５（図１０参照、詳細は後述する）に対応して形成されている。
【００４５】
図１１（Ａ）に示すように、ショルダースクリュー３００は、周面にローレットが形成された円盤状の摘部３０２を備えている。摘部３０２の上部には、固定ステー２０２，２０４に形成されたスクリュー孔２０６より直径が太い台部３０４が形成されている。台部３０４の上部には、スクリュー孔２０６より細い中間部３０６が形成されている。中間部３０６の周面には、Ｅリング３１０（図１１（Ｂ）参照）が嵌るＥ溝３０７が形成されている。中間部３０６の上部にはネジ部３０８が形成されている。
【００４６】
そして、図１１（Ｂ）に示すように、ショルダースクリュー３００をスクリュー孔２０６に通した後、Ｅリング３１０を嵌める。Ｅリング３１０の直径は、スクリュー孔２０６より大きいので、ショルダースクリュー３００はスクリュー孔２０６から抜け出ない。
【００４７】
図４に示すように、光走査装置１００は上面が開口された扁平な箱形状の光学箱１０２を備えている。また、図８に示すように、光学箱１０２の上面には、カバー１０６が取り付けられ、光学箱１０２の上面の開口が塞がれる。
【００４８】
図４に示すように、光学箱１０２の左側面１０２Ｌには、レーザ光を出射するレーザ光源（図示省略）が実装された光源基板１１０が取り付けられている。この光源基板１１０のレーザ光源から出射されたレーザビームＬは、左側面１０２Ｌに形成された円形開口１１２を通って光学箱１０２内に入射する。
【００４９】
光学箱１０２内の右側には、レーザビームＬの光路上に、レーザビームＬを平行光束とするコリメータレンズ１１４が配置され、コリメータレンズ１１４によって平行光束とされたレーザビームＬの副走査方向のみを集束させるシリンダレンズ１１６が配置されている。光学箱１０２内の手前側には、シリンダレンズ１１６を透過したレーザビームＬが左側方から入射され、入射したレーザビームＬを前方へ偏向して主走査するポリゴンミラー１１８が設けられている。また、光学箱１０２内には、ポリゴンミラー１１８により偏向走査されたレーザビームＬが入射し、入射したレーザビームＬを主走査方向に集束させるｆθレンズ１２０、ｆθレンズ１２０を透過したレーザビームＬを上方へ反射させる反射ミラー１２２が配置されている。
【００５０】
図８に示すように、カバー１０６の後部におけるレーザビームＬの光路と対応する部位には、幅方向を長手方向として矩形状に開口されたレーザ出射口１２４が形成されており、レーザ出射口１２４には防塵ガラス１２６が取り付けられている。反射ミラー１２２（図４参照）により上方へ反射されたレーザビームＬは、この防塵ガラス１２６を透過しレーザ出射口１２４から上方へ出射され、前述した感光体ドラム５４（図２参照）上に結像される。
【００５１】
図４、図８に示すように、光学箱１０２の後側面１０２Ａにおける左右両側端部には、一対の固定部１３０Ｌ、１３０Ｒが突設されている。また、図６に示すように、光学箱１０２の前側面１０２Ｂには、１つの固定部１４２が突設されている。これらの固定部１３０Ｌ、１３０Ｒ、及び固定部１４２は、光学箱１０２を平面視すると、略二等辺三角形の各頂点に位置し、光学箱１０２の形状に対してバランス良く配置されている。
【００５２】
図１３に示すように、固定部１３０Ｒ、１３０Ｌ、及び固定部１４２は、略水平に突出し、平面視が矩形状とされた水平板部１３２を備えており、水平板部１３２の左右両側端部には、略垂直に立設されて後端面１３６に繋がれた三角形状の一対の補強リブ１３４が設けられている。水平板部１３２の上部には、ナット部１３８が形成されている。
【００５３】
図１０に示すように、ナット部１３８には、ショルダースクリュー３００のネジ部３０８が、螺合するネジ孔１３９が形成されている。水平板部１３２の下面には、ナット部１３８に対応した基準ボス１４４が形成されている。基準ボス１４４には、ショルダースクリュー３００の中間部３０６とＥリング３１０とが入るボス穴１４５が形成されている。
【００５４】
固定部１３０Ｒ、１３０Ｌ、及び固定部１４２の三個の基準ボス１４４は、下面１３０Ｃからの突出高さが等しく、基準面となる下端面１４４Ａが同一平面上となるように形成（配置）されている。
【００５５】
図９、図１３に示すよすように、固定部１３０Ｌ、１３０Ｒの下面１３０Ｃにおける基準ボス１４４の内側には、位置決めピン１５４がそれぞれ設けられている。この２個の位置決めピン１５４は同形状とされ、下面１３０Ｃからの突出高さが基準ボス１４４よりも高い。そして、図７に示す固定ステー２０２に形成された位置決め孔２０２Ｂ、２０２Ｃに挿入される。なお、位置決め孔２０２Ｂは略真円であるが、位置決め孔２０２Ｃは長孔になっている。また、図９には、固定部１４２も示す図であるが、実際は固定部１４２には位置決めピン１５４は設けられていない。更に、固定部１３０Ｒでは、実際は位置決めピン１５４の位置は左右反対である。
【００５６】
固定ステー２０２，２０４は、上面２０２Ａ，２０４Ａが歪みが抑えられて平面度が高い精度に保たれた基準受け面となっている。固定ステー２０２，２０４は、この基準受け面である上面２０２Ａ，２０４Ａが略水平となり、且つ、上面２０２Ａ，２０４Ａと感光体ドラム５４との相対距離が所定の寸法（設計値＋製造公差）となるよう位置決めされて、画像形成装置本体１２内の所定位置に取り付けられている。
【００５７】
そして、光走査装置１００は、この基準受け面である上面２０２Ａ，２０４Ａ上に、基準面である固定部１３０Ｌ、１３０Ｒ、及び固定部１４２の下端面１４４Ａが載置され、固定ステー２０２に形成された位置決め孔２０２Ｂ，２０２Ｃに位置決めピン１５４が挿入され係合する。そして、ショルダースクリュー３００でネジ止めして固定される。
【００５８】
つぎに、上記の光走査装置１００を着脱する手順について説明する。
【００５９】
図３、図１２（Ａ）に示すように、給紙カセット１４を装着窓１４６から引き抜いて、画像形成装置本体１２から取り出す。
【００６０】
図１２（Ｂ）に示すように、装着窓１４６から給紙部１４０に手を入れ、ショルダースクリュー３００の摘部３０２を廻して外す（ネジ固定を解除する）。
【００６１】
図１（Ａ）に示すように、Ｅリング３１０が固定孔２０６に引っかかるので、ショルダースクリュー３００は抜け落ちない。（図１１参照）。
【００６２】
図１（Ｂ）から図１（Ｄ）へと順番に示すように、光走査装置１００を奥側にズラし、固定ステー２０２，２０４の間２０３から、光走査装置１００を、給紙部１４０の空間１５０へと移動させる。そして、図１１（Ｄ）に示すように、装着窓１４６から光走査装置１００を画像形成装置本体１２から取り出す。
【００６３】
取り出した光走査装置１００を、再度取り付ける方法は、上記の逆の手順である。
【００６４】
なお、ショルダースクリュー３００は抜け落ちないで、固定ステー２０２，２０４に引っかかっているので、取り付け時に、スクリュー孔２０６（図１１（Ａ）参照）を見ながら位置を確認し、ショルダースクリュー３００を入れる必要が無いので、容易に固定できる。また、ショルダースクリュー３００は、手で廻して固定・解除できるので、工具も必要ない。
【００６５】
つぎに、上述した画像形成装置１０による作用について説明する。
【００６６】
今まで説明したように、給紙カセット１４を画像形成装置本体１２から取り外してできた給紙部１４０の空間１５０を、光走査装置１００を着脱するための移動空間として利用し、また、給紙カセット１４が出入りするための装着窓１４６から光走査装置１００を出し入れしている。（図１参照）。
【００６７】
したがって、光走査装置１００を着脱するための、特別な移動空間（図１４では移動空間Ｘ）、及び開口（図１４では側板１００２の開放）が必要無い。このため、低コストで省スペースとなる。
【００６８】
なお、本実施形態では、図２に示すように、電源部１７０の下端を固定ステーの下面と略同じ高さ（図１４の移動空間Ｘ）まで、電源部１７０を下げて配置した分、装置の高さを低くし（図中のＹ部）、装置全体を小型化している。
【００６９】
尚、本発明は、上記実施形態に限定されない。
【００７０】
例えば、上記実施形態では、取付部は、左右方向に架設された固定ステー２０２，２０４の上面２０２Ａ，２０４Ａに光走査装置１００を載置して固定する構成であったが、これに限定されない。例えば、装置の前後方向に固定ステーを架設しても良い。あるいは、固定ステーでなく、光走査装置が通り抜けられる孔（連通部）が形成された固定板であっても良い。あるいは、光走査装置を吊り下げる構成であっても良い。要は、取付部は光走査装置を所定位置に着脱可能に固定し、且つ、給紙部に移動可能な構成であれば良い。
【図面の簡単な説明】
【００７１】
【図１】本発明の実施形態に係る画像形成装置の画像形成装置本体から光走査装置を取り外す手順を、（Ａ）から（Ｄ）に順番に示した図である。
【図２】本発明の実施形態に係る画像形成装置の概略構成を示す構成図である。
【図３】（Ａ）は画像形成装置本体から給紙カセットを引き出した状態の図であり、（Ｂ）は給紙カセットを引き抜いて画像形成装置本体から取り出した状態の図である。
【図４】光走査装置の内部の概略構成を示す図である。
【図５】給紙部と光走査装置とを示す図である。
【図６】光走査装置を固定ステーに固定した状態の図である。
【図７】固定ステーを示す図である。
【図８】図７に示す固定ステーに光走査装置を固定した状態の図である。
【図９】図８に示す固定ステーに光走査装置を固定した状態を下方から見た図である。
【図１０】光走査装置の固定部と固定ステーとを示す断面図である。
【図１１】固定ステーにショルダースクリューを取り付ける様子を、（Ａ）から（Ｂ）へと順番に示した図である。
【図１２】（Ａ）は画像形成装置本体から給紙カセットを引き出す様子を示す図であり、（Ｂ）は給紙カセットを画像形成装置本体から取り出した後、ショルダースクリューを廻す様子を示す図である。
【図１３】光走査装置の固定部を示す図である。
【図１４】従来の画像形成装置を示す図である。
【符号の説明】
【００７２】
１０      画像形成装置
１２      画像形成装置本体
１４      給紙カセット（収容箱）
５４      感光体ドラム５（被走査体）
１００      光走査装置
１４０      給紙部
１４６      装着窓
２０２      固定ステー
２０２Ａ    上面
２０３      固定ステーの間
２０４      固定ステー
２０４Ａ    上面
Ｌ      レーザービーム（光ビーム）
Ｐ      記録用紙（記録媒体）
【図１】
2006251082.tif 000003
【図２】
2006251082.tif 000004
【図３】
2006251082.tif 000005
【図４】
2006251082.tif 000006
【図５】
2006251082.tif 000007
【図６】
2006251082.tif 000008
【図７】
2006251082.tif 000009
【図８】
2006251082.tif 000010
【図９】
2006251082.tif 000011
【図１０】
2006251082.tif 000012
【図１１】
2006251082.tif 000013
【図１２】
2006251082.tif 000014
【図１３】
2006251082.tif 000015
【図１４】
2006251082.tif 000016